(57)【要約】【課題】吸収性物品の吸収容量を消費者によりわかり易くする。【解決手段】陳列体１０は、吸収性物品を収容した収容体３００ａ，３００ｂと、販売促進用のツール２００ａ，２００ｂと、収容体とツールを陳列する棚１００と、を有する。ツール２００ａ，２００ｂは、吸収性物品の吸収容量に対応する容量を有する液状又はジェル状の物質を含む、陳列体。【選択図】図１
2018015523.tif 000002
【特許請求の範囲】
【請求項１】
吸収性物品を収容した収容体と、
販売促進用のツールと、
前記収容体と前記ツールを陳列する棚と、を有し、
前記ツールは、前記吸収性物品の吸収容量に対応する容量を有する液状又はジェル状の物質と、前記液状又はジェル状の物質を包むフィルムと、を含み、
前記フィルム内に気体が含まれている、陳列体。
【請求項２】
前記ツールは、前記液状又はジェル状の物質の容量に対応する吸収容量を有する吸収性物品の前記吸収容量を示す数字を有し、
前記収容体は、前記収容体によって収容された吸収性物品の吸収容量を示す数字を有する、請求項１に記載の陳列体。
【請求項３】
前記ツールの前記数字のフォント、前記ツールの前記数字の背景の色、前記ツールの前記数字の背景の模様のうちの少なくとも１つが、前記収容体の前記数字のフォント、前記収容体の前記数字の背景の色、前記収容体の前記数字の背景の模様のうちの少なくとも１つと同じである、請求項２に記載の陳列体。
【請求項４】
前記ツールは、前記液状又はジェル状の物質の後側に、前記液状又はジェル状の物質を通して視認可能な文字であって前記収容体に対応付けられた文字を有する、請求項１から３のいずれか１項に記載の陳列体。
【請求項５】
互いに異なる吸収容量を有する前記吸収性物品を収容した複数の前記収容体と、
互いに異なる容量を有する前記液状又はジェル状の物質を含む複数の前記ツールと、を有し、
各々の前記ツールの前記液状又はジェル状の物質の容量は、各々の前記収容体に収容された前記吸収性物品の吸収容量に対応している、請求項１から４のいずれか１項に記載の陳列体。
【請求項６】
複数の前記ツールは、前記棚に、第１方向に並んで配列されており、
複数の前記収容体は、前記棚に、前記第１方向に並んで配列されており、
複数の前記収容体の配列の順序は、前記収容体に対応する前記ツールの配列の順序と同じである、請求項５に記載の陳列体。
【請求項７】
前記第１方向は水平方向であり、
複数の前記ツールは、複数の前記収容体の上又は下に陳列されている、請求項６に記載の陳列体。
【請求項８】
前記液状又はジェル状の物質は可撓性のフィルムに包まれている、請求項１から７のいずれか１項に記載の陳列体。
【請求項９】
前記収容体に収容された前記吸収性物品の前記サンプルが、前記棚の最も上に配置されており、
前記サンプルの下に、前記ツール及び前記収容体が配置されている、請求項１から８のいずれか１項に記載の陳列体。
【請求項１０】
特定の吸収性物品を収容した収容体に対応付けられた販売促進用のツールであって、
前記ツールは、前記吸収性物品の吸収容量に対応する容量を有する液状又はジェル状の物質と、前記液状又はジェル状の物質を包むフィルムと、を含み、
前記フィルム内に気体が含まれている、ツール。
【請求項１１】
前記ツールは、前記液状又はジェル状の物質の容量に対応する吸収容量を有する吸収性物品の吸収容量を示す数字を有し、
前記収容体は、前記収容体によって収容された吸収性物品の吸収容量を示す数字を有する、請求項１０に記載のツール。
【請求項１２】
前記ツールの前記数字のフォント、前記ツールの前記数字の背景の色、前記ツールの前記数字の背景の模様のうちの少なくとも１つは、前記収容体の前記数字のフォント、前記収容体の前記数字の背景の色、前記収容体の前記数字の背景の模様のうちの少なくとも１つと同じである、請求項１１に記載のツール。
【請求項１３】
前記ツールは、前記液状又はジェル状の物質の後側に、前記液状又はジェル状の物質を通して視認可能な文字であって前記収容体に対応付けられた文字を有する、請求項１０から１２のいずれか１項に記載のツール。
【請求項１４】
前記液状又はジェル状の物質は可撓性のフィルムに包まれている、請求項１０から１３のいずれか１項に記載のツール。
【請求項１５】
特定の容量を有する液状又はジェル状の物質と前記液状又はジェル状の物質を包むフィルムとを含む販売促進用のツールであって前記フィルム内に気体が含まれている販売促進用のツールに対応する吸収容量を有する吸収性物品を収容した収容体。
【請求項１６】
前記ツールは、液状又はジェル状の物質の容量に対応する吸収容量を有する吸収性物品の前記吸収容量を示す数字を有し、
前記収容体は、前記収容体によって収容された吸収性物品の吸収容量を示す数字を有し、
前記収容体の前記数字のフォント、前記収容体の前記数字の背景の色、前記収容体の前記数字の背景の模様のうちの少なくとも１つが、前記ツールの前記数字のフォント、前記ツールの前記数字の背景の色、前記ツールの前記数字の背景の模様のうちの少なくとも１つと同じである、請求項１５に記載の収容体。
【発明の詳細な説明】
【技術分野】
【０００１】
本発明は、吸収性物品の販売促進用ツールと、吸収性物品を収容した収容体と、当該収容体と販売促進用ツールとを含む陳列体と、に関する。
【背景技術】
【０００２】
商品が店頭に陳列される際、商品の近くにサンプルや販売促進用ツールが置かれることがある。特許文献１は、使い捨て吸収性物品用のディスプレイを開示している。このディスプレイは、消費者が吸収性物品の購入を決定する前に、吸収性物品のサンプルを調べることを可能とするためのツールである。
【０００３】
特許文献１に記載されたディスプレイは、２つの面を有する平面的で透明な保護カバーと、保護カバーに取り付けられる引き綱と、使い捨て吸収性物品と、を含む。使い捨て吸収性物品は、保護カバー内に密封されている。保護カバーは、使い捨て吸収性物品に面する位置に設けられた少なくとも１つの開口を有する。
【先行技術文献】
【特許文献】
【０００４】
【特許文献１】実用新案登録第３１６０９７１号公報
【発明の概要】
【発明が解決しようとする課題】
【０００５】
特許文献１に記載されたディスプレイでは、消費者は、使い捨て吸収性物品の見た目や肌触りを確認することができる。しかしながら、消費者は、そのような使い捨て吸収性物品がどのくらいの量の液体（体液）を吸収できるのかということを把握することが難しい。
【０００６】
吸収性物品が吸収可能な液体の容量（吸収容量）は、吸収性物品のパッケージに数値によって記載されていることがある。しかしながら、消費者は、数値による表示では、吸収容量の具体的なイメージを特定し難いことがある。そのため、消費者は、どのくらいの吸収容量を有する吸収性物品を購入するべきか判断し難い。
【０００７】
特に、吸収性物品としての軽失禁用のパッドを初めて購入しようとする消費者は、軽失禁用のパッドの購入を恥ずかしいと感じることがあり、店頭にて商品（軽失禁用のパッド）をじっくりと検討しないことがある。したがって、消費者は、商品（軽失禁用のパッド）をじっくりと検討せずに、自分自身に適していない失禁用のパッド、すなわち自分自身の失禁の量に合わない吸収容量を有する失禁用のパッドを選択してしまうこともある。
【０００８】
したがって、吸収性物品の吸収容量を消費者によりわかり易くすることが望まれる。
【課題を解決するための手段】
【０００９】
一態様に係る陳列体は、吸収性物品を収容した収容体と、販売促進用のツールと、収容体とツールを陳列する棚と、を有する。ツールは、吸収性物品の吸収容量に対応する容量を有する液状又はジェル状の物質を含む。
【００１０】
一態様に係るツールは、特定の吸収性物品を収容した収容体に対応付けられた販売促進用のツールであって、前記吸収性物品の吸収容量に対応する容量を有する液状又はジェル状の物質を含む。
一態様に係る収容体は、特定の容量を有する液状又はジェル状の物質を含む販売促進用のツールに対応する吸収容量を有する吸収性物品を収容している。
【発明の効果】
【００１１】
上記態様によれば、吸収性物品の吸収容量を消費者によりわかり易くすることができる。
【図面の簡単な説明】
【００１２】
【図１】一実施形態に係る陳列体の模式図である。
【図２】販売促進用のツールの一例を示す模式図である。
【図３】販売促進用のツールの別の一例を示す模式図である。
【図４】図２に示す販売促進用のツールに対応する吸収性物品を収容した収容体の一例を示す模式図である。
【図５】図３に示す販売促進用のツールに対応する吸収性物品を収容した収容体の一例を示す模式図である。
【発明を実施するための形態】
【００１３】
（１）実施形態の概要
本明細書及び添付図面の記載により、少なくとも以下の事項が明らかとなる。
【００１４】
一態様に係る陳列体は、吸収性物品を収容した収容体と、販売促進用のツールと、前記収容体と前記ツールを陳列する棚と、を有し、前記ツールは、前記吸収性物品の吸収容量に対応する容量を有する液状又はジェル状の物質を含む。
【００１５】
販売促進用のツールは、吸収性物品が液体を吸収できる吸収容量に対応する容量を有する液状又はジェル状の物質を含む。これにより、消費者は、液状又はジェル状の物質を見ることによって、視覚的に吸収性物品の吸収容量を把握することができる。したがって、消費者は、棚に陳列された吸収性物品（収容体）の吸収容量を具体的にイメージし易く、棚に陳列された特定の吸収性物品が自分自身に適したものであるかどうかを判断し易くなる。
【００１６】
特に、吸収性物品が失禁用パッドやおりものシート等である場合、消費者は、自分自身が排出する体液の量を視覚的に把握していることがある。このような場合、消費者は、吸収容量に対応する容量を有する液状又はジェル状の物質を含むツールを見ることによって、棚に陳列された特定の吸収性物品（収容体）が自分自身に適したものであるかどうかを判断し易くなる。
【００１７】
また、消費者は、販売促進用のツールを持つことによって、吸収性物品の吸収容量を、液状又はジェル状の物質の重量によっても感じることができる。これにより、消費者に、自分自身に合った吸収性物品（収容体）であるかどうかを思考させることができる。
【００１８】
さらに、消費者は、見慣れない新規なツールを見ることにより、実際の吸収性物品（収容体）に興味を持つ。これにより、吸収性物品の販売を促進する効果が得られる。
【００１９】
好ましい一態様に係る陳列体によれば、前記ツールは、液状又はジェル状の物質の容量に対応する吸収容量を有する吸収性物品の前記吸収容量を示す数字を有し、前記収容体は、前記収容体によって収容された吸収性物品の吸収容量を示す数字を有する。
【００２０】
本態様によれば、ツールと収容体が吸収容量を示す同一の数字を有するので、消費者は、特定の販売促進用のツールに対応する収容体（吸収性物品）を容易に特定することができる。これにより、消費者は、陳列用の棚から、特定の吸収性物品を容易に見つけることができる。
【００２１】
好ましい一態様に係る陳列体によれば、前記ツールの前記数字のフォント、前記ツールの前記数字の背景の色、前記ツールの前記数字の背景の模様のうちの少なくとも１つが、前記収容体の前記数字のフォント、前記収容体の前記数字の背景の色、前記収容体の前記数字の背景の模様のうちの少なくとも１つと同じである。
【００２２】
本態様によれば、消費者は、特定の販売促進用のツールに対応する収容体（吸収性物品）をより容易に特定することができる。これにより、消費者は、陳列用の棚から、特定の吸収性物品をより容易に見つけることができる。
【００２３】
好ましい一態様に係る陳列体によれば、前記ツールは、前記液状又はジェル状の物質の後側に、前記液状又はジェル状の物質を通して視認可能な文字であって前記収容体に対応付けられた文字を有する。
【００２４】
液状又はジェル状の物質を通して視認可能な文字が、そのツールに対応する吸収性物品を収容した収容体に対応付けられた文字、例えば商品名等であるため、消費者は、ツールに対応する吸収性物品（収容体）を棚からより容易に見つけることができる。
【００２５】
また、液状又はジェル状の物質を通して視認可能な領域は、消費者の注意を惹きやすい領域であるため、消費者へ情報、例えば商品名を与える効果が高いという利点も得られる。
【００２６】
好ましい一態様に係る陳列体よれば、陳列体は、互いに異なる吸収容量を有する前記吸収性物品を収容した複数の前記収容体と、互いに異なる容量を有する前記液状又はジェル状の物質を含む複数の前記ツールと、を有し、各々の前記ツールの前記液状又はジェル状の物質の容量は、各々の前記収容体に収容された前記吸収性物品の吸収容量に対応している。
【００２７】
本態様によれば、消費者は、視覚的に複数の吸収性物品（収容体）の吸収容量を把握することができる。これにより、消費者は、どのくらいの吸収容量を有する吸収性物品を購入するべきか判断し易くなる。
【００２８】
好ましい一態様に係る陳列体よれば、複数の前記ツールは、前記棚に、第１方向に並んで配列されており、複数の前記収容体は、前記棚に、前記第１方向に並んで配列されており、複数の前記収容体の配列の順序は、前記収容体に対応する前記ツールの配列の順序と同じである。
【００２９】
棚に陳列された商品を見る消費者の視線は、あるところから一方向に連続的に移動することが多いため、複数の収容体の配列の順序が、それらの収容体に対応するツールの配列の順序と同じであることによって、消費者は、ツールに対応する吸収性物品（収容体）を棚からより容易に見つけることができる。
【００３０】
好ましい一態様に係る陳列体よれば、前記第１方向は水平方向であり、複数の前記ツールは、複数の前記収容体の上又は下に陳列されている。
【００３１】
陳列用の棚を上から下、又は下から上に見た消費者が、ツールと収容体（吸収性物品）とを容易に対応づけることができる。特に、消費者の視線は、陳列用の棚の上から下、又は下から上に連続的に移動することが多いので、ツールが収容体の上又は下に配置されていることによって、消費者は、ツールに対応する吸収性物品（収容体）を棚からより容易に見つけることができる。
【００３２】
好ましい一態様に係る陳列体よれば、前記液状又はジェル状の物質は可撓性のフィルムに包まれている。
【００３３】
前記液状又はジェル状の物質が可撓性のフィルムに包まれていると、触感に優れたツールが提供される。具体的には、消費者がフィルムに包まれた液状又はジェル状の物質を押すと、フィルムに包まれた液状又はジェル状の物質が変形する。これにより、消費者は、ツールを触りたいという感情を覚え、実際の商品（収容体）にも興味を持つことがある。これにより、商品の販売を促進する効果が得られる。
【００３４】
好ましい一態様に係る陳列体よれば、前記収容体に収容された前記吸収性物品の前記サンプルが、前記棚の最も上に配置されており、前記サンプルの下に、前記ツール及び前記収容体が配置されている。
【００３５】
消費者にとって最も注意を引く棚の最も上にサンプルを置くことで、消費者の視線が棚の最も上に行き易くなる。消費者の視線が下方に動くにつれて、消費者は、上述したツールや実際の製品（収容体）を認識する。これにより、商品の販売を促進する効果がより得られる。
【００３６】
一態様によれば、特定の吸収性物品を収容した収容体に対応付けられた販売促進用のツールは、前記吸収性物品の吸収容量に対応する容量を有する液状又はジェル状の物質を含む。
【００３７】
販売促進用のツールは、吸収性物品が液体を吸収できる吸収容量に対応する容量を有する液状又はジェル状の物質を含む。これにより、消費者は、液状又はジェル状の物質を見ることによって、ツールに対応付けられた吸収性物品の吸収容量を視覚的に把握することができる。したがって、消費者は、店頭にてツールに対応付けられた吸収性物品の吸収容量を具体的にイメージし易く、棚に陳列された特定の吸収性物品（収容体）が自分自身に適したものであるかどうかを判断し易くなる。
【００３８】
特に、吸収性物品が失禁用パッドやおりものシート等である場合、消費者は、自分自身が排出する体液の量を視覚的に把握していることがある。このような場合、消費者は、吸収容量に対応する容量を有する液状又はジェル状の物質を含むツールを見ることによって、棚に陳列された特定の吸収性物品（収容体）が自分自身に適したものであるかどうかを判断し易くなる。
【００３９】
また、消費者は、販売促進用のツールを持つことによって、吸収性物品の吸収容量を、液状又はジェル状の物質の重量によっても感じることができる。これにより、消費者に、自分自身に合った吸収性物品（収容体）であるかどうかを思考させることができる。
【００４０】
さらに、消費者は、見慣れない新規なツールを見ることにより、実際の吸収性物品（収容体）に興味を持つ。これにより、商品の販売を促進する効果が得られる。
【００４１】
好ましい一態様によれば、前記ツールは、液状又はジェル状の物質の容量に対応する吸収容量を有する吸収性物品の前記吸収容量を示す数字を有し、前記収容体は、前記収容体によって収容された吸収性物品の吸収容量を示す数字を有する。
【００４２】
本態様によれば、ツールと収容体が吸収容量を示す同一の数字を有するので、消費者は、特定の販売促進用のツールに対応する収容体（吸収性物品）を容易に特定することができる。これにより、消費者は、陳列用の棚から、特定の吸収性物品を容易に見つけることができる。
【００４３】
好ましい一態様に係るツールよれば、前記ツールの前記数字のフォント、前記ツールの前記数字の背景の色、前記ツールの前記数字の背景の模様のうちの少なくとも１つは、前記収容体の前記数字のフォント、前記収容体の前記数字の背景の色、前記収容体の前記数字の背景の模様のうちの少なくとも１つと同じである。
【００４４】
本態様によれば、消費者は、特定の販売促進用のツールに対応する収容体（吸収性物品）をより容易に特定することができる。これにより、消費者は、陳列用の棚から、特定の吸収性物品をより容易に見つけることができる。
【００４５】
好ましい一態様に係るツールよれば、前記ツールは、前記液状又はジェル状の物質の後側に、前記液状又はジェル状の物質を通して視認可能な文字であって前記収容体に対応付けられた文字を有する。
【００４６】
液状又はジェル状の物質を通して視認可能な文字が、そのツールに対応する吸収性物品を収容した収容体に対応付けられた文字、例えば商品名等であるため、消費者は、ツールに対応する商品（収容体）を棚からより容易に見つけることができる。
【００４７】
また、液状又はジェル状の物質を通して視認可能な領域は、消費者の注意を惹きやすい領域であるため、消費者へ情報、例えば商品名を与える効果が高いという利点も得られる。
【００４８】
好ましい一態様に係るツールによれば、前記液状又はジェル状の物質は可撓性のフィルムに包まれている。
【００４９】
液状又はジェル状の物質が可撓性のフィルムに包まれていると、触感に優れたツールが提供される。具体的には、消費者がフィルムに包まれた液状又はジェル状の物質を押すと、フィルムに包まれた液状又はジェル状の物質が変形する。これにより、消費者は、ツールを触りたいという感情を覚え、実際の商品（収容体）にも興味を持つことがある。これにより、商品の販売を促進する効果が得られる。
【００５０】
一態様に係る収容体は、特定の容量を有する液状又はジェル状の物質を含む販売促進用のツールに対応する吸収容量を有する吸収性物品を収容している。
【００５１】
本態様に係る吸収性物品を収容した収容体は、特定の容量を有する液状又はジェル状の物質を含む販売促進用のツールと対応付けられている。具体的には、吸収性物品の吸収容量が、販売促進用のツールの液状又はジェル状の物質の容量と対応づけられている。これにより、消費者は、ツールの液状又はジェル状の物質を見ることによって、視覚的に吸収性物品の吸収容量を把握することができる。したがって、吸収性物品を収容した収容体と上記ツールが両方店頭に陳列されている場合に、消費者は、ツールによって吸収性物品の吸収容量を具体的にイメージし易く、その吸収性物品が自分自身に適したものであるかどうかを判断し易くなる。
【００５２】
好ましい一態様に係る収容体によれば、前記ツールは、液状又はジェル状の物質の容量に対応する吸収容量を有する吸収性物品の前記吸収容量を示す数字を有し、前記収容体は、前記収容体によって収容された吸収性物品の吸収容量を示す数字を有し、前記収容体の前記数字のフォント、前記収容体の前記数字の背景の色、前記収容体の前記数字の背景の模様のうちの少なくとも１つが、前記ツールの前記数字のフォント、前記ツールの前記数字の背景の色、前記ツールの前記数字の背景の模様のうちの少なくとも１つと同じである。
【００５３】
本態様によれば、消費者は、吸収性物品を収容した収容体が、どの販売促進用のツールと対応しているかを視覚的により容易に特定することができる。これにより、消費者は、特定の吸収性物品に対応するツールをより容易に見つけることができる。したがって、ツールの液状又はジェル状の物質を見ることにより、それに対応する吸収性物品が自分自身に適したものであるかどうかを把握することができる。
【００５４】
（２）陳列体の構成
以下、図１〜図５を参照して、一実施形態に係る陳列体について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００５５】
図１は、一実施形態に係る陳列体の模式図である。陳列体１０は、吸収性物品を収容した収容体３００ａ，３００ｂと、販売促進用のツール２００ａ，２００ｂと、収容体３００ａ，３００ｂとツール２００ａ，２００ｂを陳列する棚１００と、を有する。吸収性物品は、特に限定されないが、失禁用パッドやおりものシート等であってよい。吸収性物品は、特に、購買能力を有する消費者自身によって使用されるものであることが好ましい。
【００５６】
より具体的には、陳列体１０は、互いに異なる吸収容量を有する吸収性物品を収容した複数の収容体３００ａ，３００ｂと、互いに異なる容量を有する液状又はジェル状の物質２２０ａ，２２０ｂを含む複数のツール２００ａ，２００ｂと、を有する。
【００５７】
棚１００は、ツール２００ａ，２００ｂ及び収容体３００ａ，３００ｂを陳列可能であれば、どのような構成であってもよい。好ましくは、棚１００は、高さ方向に商品を複数段に並べられ、かつ水平方向に商品を複数並べられるように構成されている。
【００５８】
図２は、販売促進用のツール２００ａを示す模式図である。図３は、販売促進用のツール２００ｂを示す模式図である。図４は、図２に示す販売促進用のツール２００ａに対応する吸収性物品を収容した収容体３００ａの一例を示す模式図である。図５は、図３に示す販売促進用のツール２００ｂに対応する吸収性物品を収容した収容体３００ｂの一例を示す模式図である。
【００５９】
収容体３００ａ，３００ｂは、複数の吸収性物品を収容する包装シート３０３を有する。収容体３００ａ，３００ｂは、収容体によって収容された吸収性物品の吸収容量を示す数字３１０ａ，３１０ｂを有することが好ましい。この数字３１０ａ，３１０ｂは、包装シート３０３に記載されていてよい。ここで、吸収性物品の吸収容量は、吸収性物品が液体（使用者の体液）を吸収可能な容量であり、予め決められた設計値である。
【００６０】
また、包装シート３０３には、収容体の種類を示す文字、例えば収容体の商品名が記載されている。
【００６１】
販売促進用のツール２００ａ，２００ｂは、保持体２０２と、液状又はジェル状の物質２２０ａ，２２０ｂと、を含む。保持体２０２は、ツール２００ａ，２００ｂを棚１００に設置可能に構成されている。保持体２０２は、例えば厚紙によって構成することができる。例えば、保持体２０２は、棚１００の前面に直接取り付け可能に構成されていてもよく、或いは不図示の紐によって棚１００に取り付け可能に構成されていてもよい。
【００６２】
液状又はジェル状の物質２２０ａ，２２０ｂは、可撓性のフィルムに包まれていることが好ましい。可撓性のフィルムとしては、例えば塩化ビニル樹脂からなるフィルムを挙げることができる。可撓性のフィルムに包まれた液状又はジェル状の物質２２０ａ，２２０ｂは、保持体２０２に保持されている。液状又はジェル状の物質２２０ａ，２２０ｂが可撓性のフィルムに包まれていると、触感に優れたツール２００ａ，２００ｂが提供される。具体的には、消費者がフィルムに包まれた液状又はジェル状の物質２２０ａ，２２０ｂを押すと、フィルムに包まれた液状又はジェル状の物質２２０ａ，２２０ｂが変形する。これにより、消費者は、ツールを触りたいという感情を覚え、実際の商品（収容体）にも興味を持つことがある。これにより、商品の販売を促進する効果が得られる。
【００６３】
特に、ジェル状の物質は、消費者に対してより優れた触感を与えるという観点からより好ましい。
【００６４】
なお、フィルムに包まれた液状又はジェル状の物質２２０ａ，２２０ｂを押したときの触感を向上させる観点から、密閉された可撓性のフィルム内の気体（空気）の体積は、密閉された可撓性のフィルム内の液状又はジェル状の物質２２０ａ，２２０ｂの体積の５％以下であることが好ましい。
【００６５】
液状又はジェル状の物質２２０ａ，２２０ｂは、それぞれのツールに対応する吸収性物品の吸収容量に対応する容量を有する。本実施形態では、第１のツール２００ａが、第１の吸収性物品を収容した収容体３００ａに対応し、第２のツール２００ｂが、第２の吸収性物品を収容した収容体３００ｂに対応する。ここで、第１の吸収性物品の吸収容量は、一例として３ｃｃである。また、第２の吸収性物品の吸収容量は、一例として５０ｃｃである。したがって、第１のツール２００ａは、実質的に３ｃｃの液状又はジェル状の物質２２０ａを有する。さらに、第２のツール２００ｂは、実質的に５０ｃｃの液状又はジェル状の物質２２０ａを有する。
【００６６】
このように、各々のツール２００ａ，２００ｂの液状又はジェル状の物質２２０ａ，２２０ｂの容量は、各々の収容体３００ａ，３００ｂに収容された吸収性物品の吸収容量に対応している。
【００６７】
本実施形態では、液状又はジェル状の物質２２０ａ，２２０ｂの容量は、それらに対応する吸収性物品の吸収容量と実質的に一致している。この代わりに、液状又はジェル状の物質の容量は、それらに対応する吸収性物品の吸収容量に対して２０％程度の誤差を有していてもよい。
【００６８】
販売促進用のツール２００ａ，２００ｂが吸収性物品の吸収容量に対応する容量を有する液状又はジェル状の物質２２０ａ，２２０ｂを含むことにより、消費者は、液状又はジェル状の物質２２０ａ，２２０ｂを見ることによって、視覚的に吸収性物品の吸収容量を把握することができる。したがって、消費者は、棚１００に陳列された吸収性物品（収容体）の吸収容量を具体的にイメージし易く、棚１００に陳列された特定の吸収性物品が自分自身に適したものであるかどうかを判断し易くなる。
【００６９】
特に、吸収性物品が失禁用パッドやおりものシート等である場合、消費者は、自分自身が排出する体液の量を視覚的に把握していることがある。このような場合、消費者は、吸収容量に対応する容量を有する液状又はジェル状の物質２２０ａ，２２０ｂを含むツール２００ａ，２００ｂを見ることによって、棚１００に陳列された特定の吸収性物品（収容体）が自分自身に適したものであるかどうかを判断し易くなる。
【００７０】
また、消費者は、販売促進用のツール２００ａ，２００ｂを持つことによって、吸収性物品の吸収容量を、液状又はジェル状の物質２２０ａ，２２０ｂの重量によっても感じることができる。これにより、消費者に、自分自身に合った吸収性物品（収容体）であるかどうかを思考させることができる。なお、このような観点から、液状又はジェル状の物質２２０ａ，２２０ｂの密度は、体液の密度に近いことが好ましい。具体的には、液状又はジェル状の物質２２０ａ，２２０ｂの密度は、０．７〜２．０ｇ／Ｌの範囲であることが好ましい。
【００７１】
さらに、消費者は、見慣れない新規なツール２００ａ，２００ｂを見ることにより、実際の吸収性物品（収容体）に興味を持つ。これにより、吸収性物品の販売を促進する効果が得られる。
【００７２】
ツール２００ａ，２００ｂは、液状又はジェル状の物質の容量２２０ａ，２２０ｂに対応する吸収容量を有する吸収性物品の吸収容量を示す数字２１０ａ，２１０ｂを有することが好ましい。
【００７３】
本態様によれば、ツール２００ａ，２００ｂと収容体３００ａ，３００ｂが吸収容量を示す同一の数字を有するので、消費者は、特定の販売促進用のツール２００ａ，２００ｂに対応する収容体（吸収性物品）を容易に特定することができる。これにより、消費者は、陳列用の棚から、特定の吸収性物品を容易に見つけることができる。
【００７４】
ツール２００ａ，２００ｂの数字２１０ａ，２１０ｂのフォント、ツール２００ａ，２００ｂの数字の背景２１２ａ，２１２ｂの色、ツール２００ａ，２００ｂの数字の背景２１２ａ，２１２ｂの模様のうちの少なくとも１つが、収容体３００ａ，３００ｂの数字３１０ａ，３１０ｂのフォント、収容体３００ａ，３００ｂの数字の背景３１２ａ，３１２ｂの色、収容体３００ａ，３００ｂの数字の背景３１２ａ，３１２ｂの模様のうちの少なくとも１つと同じであることが好ましい。
【００７５】
本実施形態では、具体的には、第１のツール２００ａに付された数字２１０ａのフォントと、第１の収容体３００ａに付された数字３１０ａのフォントが同じであり、第２のツール２００ｂに付された数字２１０ｂのフォントと、第２の収容体３００ｂに付された数字３１０ｂのフォントが同じである。さらに、第１のツール２００ａに付された数字２１０ａの背景２１２ａの色と、第１の収容体３００ａに付された数字３１０ａの背景３１２ａの色が同じであり、第２のツール２００ｂに付された数字２１０ｂの背景２１２ｂの色と、第２の収容体３００ａに付された数字３１０ｂの背景３１２ｂの色が同じである。なお、背景３１２ａ，３１２ｂの色は、互いに異なる吸収容量を有する吸収性物品を収容した収容体ごとに異なっている。
【００７６】
本態様によれば、消費者は、特定の販売促進用のツールに対応する収容体（吸収性物品）をより容易に特定することができる。これにより、消費者は、陳列用の棚から、特定の吸収性物品をより容易に見つけることができる。
【００７７】
ツール２００ａ，２００ｂは、液状又はジェル状の物質２２０ａ，２２０ｂの後側に、液状又はジェル状の物質２２０ａ，２２０ｂを通して視認可能な文字であって収容体に対応付けられた文字２３０を有する。文字２３０は、例えば、ツールに対応づけられた吸収性物品の商品名であってよい。
【００７８】
液状又はジェル状の物質２２０ａ，２２０ｂを通して視認可能な文字が、そのツールに対応する吸収性物品を収容した収容体に対応付けられた文字２３０、例えば商品名等であるため、消費者は、ツールに対応する吸収性物品（収容体）を棚１００からより容易に見つけることができる。
【００７９】
また、液状又はジェル状の物質２２０ａ，２２０ｂは、消費者の目を惹き、消費者によって触られ易いところであるため、液状又はジェル状の物質２２０ａ，２２０ｂを通して視認可能な文字は、消費者の注意を惹きやすい。したがって、消費者へ情報、例えば商品名を与える効果が高く、消費者に自然と商品を想起させることができるようになるという利点も得られる。特に、液状又はジェル状の物質２２０ａ，２２０ｂを通して視認可能な文字が、液状又はジェル状の物質２２０ａ，２２０ｂの中央に配置されている場合、消費者にその文字２３０から得られる情報、例えば商品名を想起させ易くすることができる。
【００８０】
液状又はジェル状の物質２２０ａ，２２０ｂは、青緑系、青系又は青紫系の色を有することが好ましい。青緑系、青系又は青紫系の色とは、マンセル表色系によって「ＢＧ」、「Ｂ」又は「ＰＢ」によって表される色相に属する色を意味する。これにより、液状又はジェル状の物質２２０ａ，２２０ｂが体液のような液体に対応付けられているということを消費者に対して視覚的に表すことができる。また、液状又はジェル状の物質２２０ａ，２２０ｂを目立たせることができる。
【００８１】
ツール２００ａ，２００ｂは、初めて購入する消費者向けのものであることを示すマーク２４０を有していてもよい。これにより、初めて吸収性物品を購入する消費者、すなわち商品に関する理解が乏しい消費者に対して商品購入をサポートできるツール２００ａ，２００ｂであることを示すことができる。特に初めて失禁用パッドやおりものシートを購入する消費者は、どのくらい体液を排出するかを視覚的に認識しているが、どの吸収性物品が適切かということまでわかっていないことが多い。そのため、ツール２００ａ，２００ｂを吸収性物品の購入に伴う処方箋として利用することができる。
【００８２】
複数のツール２００ａ，２００ｂは、棚１００に、第１方向に並んで配列されていてよい。また、ツール２００ａ，２００ｂに対応する複数の収容体３００ａ，３００ｂは、棚１００に、第１方向、すなわちツール２００ａ，２００ｂの配列方向と同じ方向に並んで配列されている。一例として、第１方向は、水平方向である。ツール２００ａ，２００ｂは、対応する収容体（吸収性物品）３００ａ，３００ｂの付近に配置されることが好ましい。
【００８３】
複数の収容体３００ａ，３００ｂの配列の順序は、収容体３００ａ，３００ｂに対応するツール２００ａ，２００ｂの配列の順序と同じである。本実施形態では、吸収容量の小さい吸収性物品を収容した収容体ほど図１の左側に配置されている。さらに、吸収容量の小さい吸収性物品に対応したツールほど図１の左側に配置されている。
【００８４】
棚に陳列された商品を見る消費者の視線は、あるところから一方向に連続的に移動することが多いため、複数の収容体３００ａ，３００ｂの配列の順序が、それらの収容体に対応するツールの配列の順序と同じであることによって、消費者は、ツールに対応する吸収性物品（収容体）を棚１００からより容易に見つけることができる。
【００８５】
複数の収容体３００ａ，３００ｂは、水平方向に並べられており、複数のツール２００ａ，２００ｂは、複数の収容体３００ａ，３００ｂの上又は下に陳列されていることが好ましい。より好ましくは、複数のツール２００ａ，２００ｂは、棚１００における収容体３００ａ，３００ｂが置かれた段と、その段の上側又は下側に隣接する段との間に配置される。
【００８６】
これにより、陳列用の棚１００を上から下、又は下から上に見た消費者が、ツール２００ａ，２００ｂと収容体（吸収性物品）３００ａ，３００ｂとを容易に対応づけることができる。特に、消費者の視線は、陳列用の棚１００の上から下、又は下から上に連続的に移動することが多いので、ツール２００ａ，２００ｂが収容体３００ａ，３００ｂの上又は下に配置されていることにより、消費者は、ツール２００ａ，２００ｂに対応する吸収性物品（収容体）を棚１００からより容易に見つけることができる。
【００８７】
収容体３００ａ，３００ｂに収容された吸収性物品のサンプル４００ａ，４００ｂが、棚１００の最も上に配置されている。サンプル４００ａ，４００ｂの下に、ツール２００ａ，２００ｂ及び収容体３００ａ，３００ｂが配置されている。
【００８８】
消費者にとって最も注意を引く棚１００の最も上にサンプル４００ａ，４００ｂを置くことで、消費者の視線が棚１００の最も上に行き易くなる。消費者の視線が下方に動くにつれて、消費者は、上述したツール２００ａ，２００ｂや実際の商品（収容体）３００ａ，３００ｂを認識する。これにより、商品の販売を促進する効果がより得られる。特に、複数のツール２００ａ，２００ｂが複数の収容体３００ａ，３００ｂの上又は下に陳列されている場合には、消費者の視線が、最も上のサンプル４００ａ，４００ｂから下に移動するにつれて、消費者は、サンプルに対応する吸収性物品（収容体）とツール２００ａ，２００ｂとを見つけることができる。これにより、消費者の目線の一連の動きの範囲に、サンプル４００ａ，４００ｂ、収容体３００ａ，３００ｂ、ツール２００ａ，２００ｂが存在することで、消費者は、ツールに対応する吸収性物品（収容体）を棚からより容易に見つけることができる。
【００８９】
サンプル４００ａ，４００ｂは、収容体３００ａ，３００ｂに収容された実際の吸収性物品そのものであってもよい。この代わりに、サンプル４００ａ，４００ｂは、収容体３００ａ，３００ｂに収容された実際の吸収性物品の一部であってもよい。
【００９０】
サンプル４００ａ，４００ｂは、各々のサンプルに対応する吸収性物品を収容した収容体３００ａ，３００ｂと同じ順序で同一方向に並んでいてもよい。この場合、消費者は、どのサンプル４００ａ，４００ｂがどの収容体３００ａ，３００ｂに対応づけられているかわかり易くなる。
【００９１】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【符号の説明】
【００９２】
１０                陳列体
１００              棚
２００ａ，２００ｂ  販売促進用のツール
２２０ａ，２２０ｂ  液状又はジェル状の物質
３００ａ，３００ｂ  収容体
４００ａ，４００ｂ  サンプル
【図１】
2018015523.tif 000003
【図２】
2018015523.tif 000004
【図３】
2018015523.tif 000005
【図４】
2018015523.tif 000006
【図５】
2018015523.tif 000007
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
吸収性物品を収容した収容体と、
販売促進用のツールと、
前記収容体と前記ツールを陳列する棚と、を有し、
前記ツールは、前記吸収性物品の吸収容量に対応する容量を有する液状又はジェル状の物質と、前記液状又はジェル状の物質を包むフィルムと、を含み、
前記フィルム内に気体が含まれている、陳列体。
【請求項２】
前記ツールは、前記液状又はジェル状の物質の容量に対応する吸収容量を有する吸収性物品の前記吸収容量を示す数字を有し、
前記収容体は、前記収容体によって収容された吸収性物品の吸収容量を示す数字を有する、請求項１に記載の陳列体。
【請求項３】
前記ツールの前記数字のフォント、前記ツールの前記数字の背景の色、前記ツールの前記数字の背景の模様のうちの少なくとも１つが、前記収容体の前記数字のフォント、前記収容体の前記数字の背景の色、前記収容体の前記数字の背景の模様のうちの少なくとも１つと同じである、請求項２に記載の陳列体。
【請求項４】
前記ツールは、前記液状又はジェル状の物質の後側に、前記液状又はジェル状の物質を通して視認可能な文字であって前記収容体に対応付けられた文字を有する、請求項１から３のいずれか１項に記載の陳列体。
【請求項５】
互いに異なる吸収容量を有する前記吸収性物品を収容した複数の前記収容体と、
互いに異なる容量を有する前記液状又はジェル状の物質を含む複数の前記ツールと、を有し、
各々の前記ツールの前記液状又はジェル状の物質の容量は、各々の前記収容体に収容された前記吸収性物品の吸収容量に対応している、請求項１から４のいずれか１項に記載の陳列体。
【請求項６】
複数の前記ツールは、前記棚に、第１方向に並んで配列されており、
複数の前記収容体は、前記棚に、前記第１方向に並んで配列されており、
複数の前記収容体の配列の順序は、前記収容体に対応する前記ツールの配列の順序と同じである、請求項５に記載の陳列体。
【請求項７】
前記第１方向は水平方向であり、
複数の前記ツールは、複数の前記収容体の上又は下に陳列されている、請求項６に記載の陳列体。
【請求項８】
前記液状又はジェル状の物質は可撓性のフィルムに包まれている、請求項１から７のいずれか１項に記載の陳列体。
【請求項９】
前記収容体に収容された前記吸収性物品のサンプルが、前記棚の最も上に配置されており、
前記サンプルの下に、前記ツール及び前記収容体が配置されている、請求項１から８のいずれか１項に記載の陳列体。
【請求項１０】
特定の吸収性物品を収容した収容体に対応付けられた販売促進用のツールであって、
前記ツールは、前記吸収性物品の吸収容量に対応する容量を有する液状又はジェル状の物質と、前記液状又はジェル状の物質を包むフィルムと、を含み、
前記フィルム内に気体が含まれている、ツール。
【請求項１１】
前記ツールは、前記液状又はジェル状の物質の容量に対応する吸収容量を有する吸収性物品の吸収容量を示す数字を有し、
前記収容体は、前記収容体によって収容された吸収性物品の吸収容量を示す数字を有する、請求項１０に記載のツール。
【請求項１２】
前記ツールの前記数字のフォント、前記ツールの前記数字の背景の色、前記ツールの前記数字の背景の模様のうちの少なくとも１つは、前記収容体の前記数字のフォント、前記収容体の前記数字の背景の色、前記収容体の前記数字の背景の模様のうちの少なくとも１つと同じである、請求項１１に記載のツール。
【請求項１３】
前記ツールは、前記液状又はジェル状の物質の後側に、前記液状又はジェル状の物質を通して視認可能な文字であって前記収容体に対応付けられた文字を有する、請求項１０から１２のいずれか１項に記載のツール。
【請求項１４】
前記液状又はジェル状の物質は可撓性のフィルムに包まれている、請求項１０から１３のいずれか１項に記載のツール。